(57)【要約】【課題】チャンネルの変更等の操作がテレビ受像機の表示に反映されないという事態の発生を防止する。【解決手段】映像回路部１の動作に対する指示が入力される入力手段２０と、スカートジャックＡＶ２に入力された機能選択信号が非Ｌレベルとなる場合にはスカートジャックＡＶ２に入力された映像信号をスカートジャックＡＶ１に導き、スカートジャックＡＶ２に入力された機能選択信号がＬレベルとなる場合には映像回路部１が出力する映像信号をスカートジャックＡＶ１に導く映像信号切換手段９を備えた構成において、スカートジャックＡＶ２に入力された機能選択信号を映像信号切換手段９と選択信号制御手段７とに導く機能選択信号経路８１に、非Ｌレベルの通過を阻止する状態と非Ｌレベルを通過させる状態とに切り換え可能な信号遮断スイッチ８を設けている。【選択図】  図１
2007081615.tif 000002
【特許請求の範囲】
【請求項１】
ＬレベルとＬレベルとは異なるレベルである非Ｌレベルとに変化する機能選択信号を送出する８番ピンが設けられた第１のスカートジャックと、
機能選択信号が入力される８番ピンが設けられた第２のスカートジャックと、
映像信号を出力する映像回路部と、
映像回路部の動作に対する指示が入力される入力手段と、
第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、
第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置において、
第２のスカートジャックの８番ピンに入力された機能選択信号を映像信号切換手段と選択信号制御手段とに導く機能選択信号経路に、非Ｌレベルの通過を阻止する状態と非Ｌレベルを通過させる状態とに切り換え可能な信号遮断スイッチを設け、
信号遮断スイッチを装置本体の外部から操作が可能な機械的スイッチとしたことを特徴とする映像信号装置。
【請求項２】
ＬレベルとＬレベルとは異なるレベルである非Ｌレベルとに変化する機能選択信号を送出する８番ピンが設けられた第１のスカートジャックと、
機能選択信号が入力される８番ピンが設けられた第２のスカートジャックと、
映像信号を出力する映像回路部と、
映像回路部の動作に対する指示が入力される入力手段と、
第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、
第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置において、
第２のスカートジャックの８番ピンに入力された機能選択信号を映像信号切換手段と選択信号制御手段とに導く機能選択信号経路に、非Ｌレベルの通過を阻止する状態と非Ｌレベルを通過させる状態とに切り換え可能な信号遮断スイッチを設けたことを特徴とする映像信号装置。
【請求項３】
信号遮断スイッチを、装置としての動作状態を設定する設定モードにおいて非Ｌレベルの通過を阻止する状態と非Ｌレベルを通過させる状態とに切り換え可能なスイッチ素子としたことを特徴とする請求項２に記載の映像信号装置。
【請求項４】
ＬレベルとＬレベルとは異なるレベルである非Ｌレベルとに変化する機能選択信号を送出する８番ピンが設けられた第１のスカートジャックと、
機能選択信号が入力される８番ピンが設けられた第２のスカートジャックと、
映像信号を出力する映像回路部と、
映像回路部の動作に対する指示が入力される入力手段と、
第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、
第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置において、
第２のスカートジャックの８番ピンに入力された機能選択信号が非Ｌレベルの状態において入力手段に所定の操作が入力されたときには、第１のスカートジャックに導く映像信号を、所定期間において、第２のスカートジャックに入力された映像信号から映像回路部が出力する映像信号に切り換えることを特徴とする映像信号装置。
【請求項５】
入力手段に入力される所定の操作は、チャンネルのアップダウンの操作であることを特徴とする請求項４に記載の映像信号装置。
【発明の詳細な説明】
【技術分野】
【０００１】
本発明は、機能選択信号が入力されるスカートジャックと機能選択信号を出力するスカートジャックとが設けられた映像信号装置に関する。
【背景技術】
【０００２】
ヨッロッパにおいて主に使用されるコネクタのひとつにスカートジャックがあり、図３に示したように、ビデオカセットレコーダ（以下では、ＶＣＲと称する）３１には２つのスカートジャックＡＶ１，ＡＶ２、テレビ受像機３５には１つのスカートジャックＡＶ５、デコーダ３６には１つのスカートジャックＡＶ６が設けられる。このスカートジャックＡＶ１，ＡＶ２，ＡＶ５，ＡＶ６には、図４に示したように、２１本の接続用のピンが設けられている。これらのピンのうち、８番ピンの信号は機能選択信号となっていて、Ｌレベル、Ｍｉｄレベル、Ｈレベルの３つのレベルに変化するようになっている（以下では、ＨレベルとＭｉｄレベルとを、非Ｌレベルと称する）。そして、スカートジャックＡＶ１からスカートジャックＡＶ５に送出される機能選択信号がＬレベルとなるときには、スカートジャックＡＶ１からは映像信号が出力されていないと見なされ、テレビ受像機３５は、内部に設けられたチューナ部が受信する番組を表示するように動作する。一方、スカートジャックＡＶ１から送出される機能選択信号が非Ｌレベルとなるときには、スカートジャックＡＶ１から映像信号が出力されていると見なされ、テレビ受像機３５は、スカートジャックＡＶ１から出力される映像信号を表示するように動作する。
【０００３】
また、スカートジャックＡＶ１から出力される機能選択信号がＬレベルとなっている状態において、スカートジャックＡＶ６からスカートジャックＡＶ２に出力される機能選択信号がＬレベルから非Ｌレベルに変化すると、スカートジャックＡＶ１から出力される機能選択信号のレベルも、Ｌレベルから非Ｌレベルに変化する。且つ、スカートジャックＡＶ６からスカートジャックＡＶ２に出力された映像信号が、ＶＣＲ３１の内部を通過してスカートジャックＡＶ１に導かれるように、接続経路が変更される。すなわち、デコーダ３６のスカートジャックＡＶ６から出力される映像信号が、ＶＣＲ３１を介して、テレビ受像機３５に導かれるように信号経路が形成される。このため、テレビ受像機３５においては、デコーダ３６が出力される映像信号が表示される（第１の従来技術とする）。
【０００４】
また、以下に示す技術が提案されている（第２の従来技術とする）。すなわち、この技術では、複数の入力端子について、どの入力端子に信号が入力され、どの入力端子が空きとなっているのかを示す接続情報を、予め、ユーザが入力するようになっている。そして、ユーザが、入力端子を切り換えるためキースイッチを押下したときには、接続情報に基づき、信号が入力されている入力端子のみを順番に切り換え、信号が入力されていない入力端子については、切り換え対象から除外するようにしている。従って、例えば、６つの入力端子があり、そのうちの３つの入力端子には信号が入力されているが、残る３つの入力端子には信号が入力されていない場合、入力端子を切り換えるためキースイッチを押下したときには、信号が入力されている３つの入力端子に関してのみ、接続が順番に切り換わる。このため、６つの入力端子があるにもかかわらず、所望の入力端子に切り換わるまでのキースイッチの押下数は、最大でも３回となって、操作性が向上することになる（例えば、特許文献１参照）。
【０００５】
また、以下に示す技術が提案されている（第３の従来技術とする）。すなわち、この技術では、複数の入力端子について、切り換えのためのキースイッチが押下されたときの切り換えの優先順位の設定を可能にしている。且つ、この優先順位の設定において、切り換えの対象から除外することも設定可能になっている。従って、入力端子を切り換えるためキースイッチを押下したときには、信号が入力されている入力端子のみが、設定された優先順序で切り換わる。このため、入力端子を切り換えるためキースイッチを押下したとき、所望の入力端子に切り換わるまでに必要となる押下数が少なくなるので、操作性は、第１の従来技術よりも向上することになる（例えば、特許文献２参照）。
【特許文献１】特開平６−１２１２４１号公報
【特許文献２】特開２００５−１０２００２号公報
【発明の開示】
【発明が解決しようとする課題】
【０００６】
しかしながら、第１の従来技術を用いる場合には、以下に示す問題を生じていた。すなわち、デコーダ３６に設けられたスカートジャックＡＶ６から出力される機能選択信号が非Ｌレベルとなっているときでは、デコーダ３６から出力される映像信号がＶＣＲ３１のスカートジャックＡＶ１から出力されているため、テレビ受像機３５にはデコーダ３６から出力される映像信号が表示される。この状態において、リモートコントローラ（以下では、リモコンと称する）を用いて、ＶＣＲ３１のチャンネルを切り換える操作をしたとする。このような場合でも、テレビ受像機３５にはデコーダ３６から出力される映像信号が表示され続ける。すなわち、ＶＣＲ３１のチャンネルを切り換える操作は、テレビ受像機３５を見ている限りでは、その画面に全く反映されない操作となる（ＶＣＲ３１においては、受信するチャンネルが、操作に対応して変更される）。このため、ユーザにとっては、ＶＣＲ３１の動作がおかしくなった、あるいは、ＶＣＲ３１が壊れた、あるいは、リモコンが壊れた、という風に感じられて、使い勝手の悪いものとなっていた。
【０００７】
第２の従来技術や第３の従来技術は、複数の入力端子のうち、選択対象となる入力端子の切り換えを行うとき、入力端子を切り換えるためのキースイッチの押下数を少なくする技術となっている。このため、第１の従来技術において生じた問題、すなわち、スカートジャックを備えた装置において、チャンネルの変更等の操作を行ったとき、この操作がテレビ受像機３５の表示に反映されないことから、装置に不具合が生じた、という風に感じられる使い勝手の悪さを解消する観点からは、適用が困難な技術となっている。
【０００８】
本発明は、上記の問題点を解決するため創案されたものであり、その目的は、スカートジャックの８番ピンに入力された機能選択信号を所定ブロックに導く機能選択信号経路に、非Ｌレベルの通過を阻止する状態と非Ｌレベルを通過させる状態とに切り換え可能な信号遮断スイッチを設け、且つ、信号遮断スイッチを機械的スイッチとすることにより、チャンネルの変更等の操作がテレビ受像機の表示に反映されないという事態の発生を防止することのでき、且つ、制御用のソフトウエアが複雑化するという事態の発生を防止することのできる映像信号装置を提供することにある。
【０００９】
また本発明の目的は、スカートジャックの８番ピンに入力された機能選択信号を所定ブロックに導く機能選択信号経路に、非Ｌレベルの通過を阻止する状態と非Ｌレベルを通過させる状態とに切り換え可能な信号遮断スイッチを設けることにより、チャンネルの変更等の操作がテレビ受像機の表示に反映されないという事態の発生を防止することのできる映像信号装置を提供することにある。
【００１０】
また、上記目的に加え、信号遮断スイッチをスイッチ素子とすることにより、機械的スイッチの増加を防止することのできる映像信号装置を提供することにある。
【００１１】
また本発明の目的は、リモコンに所定の操作が入力されたときには、操作に対応して変化する映像信号を、所定期間においてテレビ受像機に出力して表示させることにより、チャンネルの変更等の操作がテレビ受像機の表示に反映されないという事態の発生を防止することのできる映像信号装置を提供することにある。
【００１２】
また、上記目的に加え、チャンネルのアップダウンの操作を入力したとき、この操作をテレビ受像機の表示に好適に反映させることのできる映像信号装置を提供することにある。
【課題を解決するための手段】
【００１３】
上記の課題を解決するため、本発明に係る映像信号装置は、ＬレベルとＬレベルとは異なるレベルである非Ｌレベルとに変化する機能選択信号を送出する８番ピンが設けられた第１のスカートジャックと、機能選択信号が入力される８番ピンが設けられた第２のスカートジャックと、映像信号を出力する映像回路部と、映像回路部の動作に対する指示が入力される入力手段と、第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置に適用している。そして、第２のスカートジャックの８番ピンに入力された機能選択信号を映像信号切換手段と選択信号制御手段とに導く機能選択信号経路に、非Ｌレベルの通過を阻止する状態と非Ｌレベルを通過させる状態とに切り換え可能な信号遮断スイッチを設け、信号遮断スイッチを装置本体の外部から操作が可能な機械的スイッチとしている。
【００１４】
すなわち、信号遮断スイッチによって非Ｌレベルの通過を阻止するときでは、第１のスカートジャックには、映像回路部が出力する映像信号が常に導かれる。また、映像回路部が出力する映像信号は、チャンネルの変更等の操作が反映された映像信号となっている。従って、チャンネルの変更等の操作を入力した場合、この操作は、第１のスカートジャックから送出される映像信号を表示するテレビ受像機において、画像の変化として反映される。また、信号遮断スイッチの状態の切り換えには、制御用のソフトウエアを必要としない。
【００１５】
また本発明に係る映像信号装置は、ＬレベルとＬレベルとは異なるレベルである非Ｌレベルとに変化する機能選択信号を送出する８番ピンが設けられた第１のスカートジャックと、機能選択信号が入力される８番ピンが設けられた第２のスカートジャックと、映像信号を出力する映像回路部と、映像回路部の動作に対する指示が入力される入力手段と、第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置に適用している。そして、第２のスカートジャックの８番ピンに入力された機能選択信号を映像信号切換手段と選択信号制御手段とに導く機能選択信号経路に、非Ｌレベルの通過を阻止する状態と非Ｌレベルを通過させる状態とに切り換え可能な信号遮断スイッチを設けている。
【００１６】
すなわち、信号遮断スイッチによって非Ｌレベルの通過を阻止するときでは、第１のスカートジャックには、映像回路部が出力する映像信号が常に導かれる。また、映像回路部が出力する映像信号は、チャンネルの変更等の操作が反映された映像信号となっている。従って、チャンネルの変更等の操作を入力した場合、この操作は、第１のスカートジャックから送出される映像信号を表示するテレビ受像機において、画像の変化として反映される。
【００１７】
また、上記構成に加え、信号遮断スイッチを、装置としての動作状態を設定する設定モードにおいて非Ｌレベルの通過を阻止する状態と非Ｌレベルを通過させる状態とに切り換え可能なスイッチ素子としている。すなわち、信号遮断スイッチは電子部品であるスイッチ素子によって構成される。
【００１８】
また本発明に係る映像信号装置は、ＬレベルとＬレベルとは異なるレベルである非Ｌレベルとに変化する機能選択信号を送出する８番ピンが設けられた第１のスカートジャックと、機能選択信号が入力される８番ピンが設けられた第２のスカートジャックと、映像信号を出力する映像回路部と、映像回路部の動作に対する指示が入力される入力手段と、第２のスカートジャックの８番ピンに入力された機能選択信号が非Ｌレベルとなる場合には第２のスカートジャックに入力された映像信号を第１のスカートジャックに導き、第２のスカートジャックの８番ピンに入力された機能選択信号がＬレベルとなる場合には映像回路部が出力する映像信号を第１のスカートジャックに導く映像信号切換手段と、第２のスカートジャックの８番ピンに入力された機能選択信号がＬレベルとなる場合、第１のスカートジャックから出力される映像信号の表示を指示するときには第１のスカートジャックの８番ピンに非Ｌレベルの機能選択信号を出力し、その他のときには第１のスカートジャックの８番ピンにＬレベルの機能選択信号を出力し、第２のスカートジャックの８番ピンに入力された機能選択信号が非Ｌレベルとなる場合、第２のスカートジャックの８番ピンに入力された機能選択信号と同じレベルの機能選択信号を第１のスカートジャックの８番ピンに出力する選択信号制御手段とを備えた映像信号装置に適用している。そして、第２のスカートジャックの８番ピンに入力された機能選択信号が非Ｌレベルの状態において入力手段に所定の操作が入力されたときには、第１のスカートジャックに導く映像信号を、所定期間において、第２のスカートジャックに入力された映像信号から映像回路部が出力する映像信号に切り換えるようにしている。
【００１９】
すなわち、入力手段に所定の操作を入力したときでは、所定期間において、映像回路部から出力される映像信号がテレビ受像機において表示される。また、映像回路部が出力する映像信号は、チャンネルの変更等の操作が反映された映像信号となっている。従って、チャンネルの変更等の操作を入力した場合、この操作は、第１のスカートジャックから送出される映像信号を表示するテレビ受像機において、画像の変化として反映される。
【００２０】
また、上記構成に加え、入力手段に入力される所定の操作を、チャンネルのアップダウンの操作としている。すなわち、チャンネルのアップダウンキーを操作したときでは、この操作は、テレビ受像機に表示される画像の変化として反映される。
【発明の効果】
【００２１】
本発明によれば、信号遮断スイッチによって非Ｌレベルの通過を阻止するときでは、第１のスカートジャックには、映像回路部が出力する映像信号が常に導かれる。また、映像回路部が出力する映像信号は、チャンネルの変更等の操作が反映された映像信号となっている。従って、チャンネルの変更等の操作を入力した場合、この操作は、第１のスカートジャックから送出される映像信号を表示するテレビ受像機において、画像の変化として反映される。また、信号遮断スイッチの状態の切り換えには制御用のソフトウエアを必要としない。このため、チャンネルの変更等の操作がテレビ受像機の表示に反映されないという事態の発生を防止することができ、且つ、制御用のソフトウエアが複雑化するという事態の発生を防止することができる。
【００２２】
また本発明によれば、信号遮断スイッチによって非Ｌレベルの通過を阻止するときでは、第１のスカートジャックには、映像回路部が出力する映像信号が常に導かれる。また、映像回路部が出力する映像信号は、チャンネルの変更等の操作が反映された映像信号となっている。従って、チャンネルの変更等の操作を入力した場合、この操作は、第１のスカートジャックから送出される映像信号を表示するテレビ受像機において、画像の変化として反映される。このため、チャンネルの変更等の操作がテレビ受像機の表示に反映されないという事態の発生を防止することができる。従って、リモコンの操作が有効であるにもかかわらず、リモコンの操作が不調になっているといったような、市場でのナンセンスクレームを減少させることができる。
【００２３】
また、さらに、信号遮断スイッチは、電子部品であるスイッチ素子により構成されるので、機械的スイッチの増加を防止することができる。
【００２４】
また本発明によれば、入力手段に所定の操作を入力したときでは、所定期間において、映像回路部から出力される映像信号がテレビ受像機において表示される。また、映像回路部が出力する映像信号は、入力手段に入力された操作が反映された映像信号となっている。従って、チャンネルの変更等の操作を入力した場合、この操作は、第１のスカートジャックから送出される映像信号を表示するテレビ受像機において、画像の変化として反映される。このため、チャンネルの変更等の操作がテレビ受像機の表示に反映されないという事態の発生を防止することができる。従って、リモコンの操作が有効であるにもかかわらず、リモコンの操作が不調になっているといったような、市場でのナンセンスクレームを減少させることができる。
【００２５】
また、さらに、チャンネルのアップダウンキーを操作したときでは、この操作は、テレビ受像機に表示される画像の変化として反映されるので、チャンネルのアップダウンの操作を入力したとき、この操作をテレビ受像機の表示に好適に反映させることができる。
【発明を実施するための最良の形態】
【００２６】
以下、本発明の実施の形態について図を参照して説明する。
【実施例１】
【００２７】
図１は、本発明に係る映像信号装置の第１の実施形態であるビデオカセットレコーダの電気的構成を示すブロック線図である（破線８２により示す信号経路は第１の実施形態では設けられていない）。なお、以下における説明では、コンポジット映像信号を、単に、映像信号と称する。
【００２８】
図において、第１のスカートジャックＡＶ１は、主には、テレビ受像機３５のスカートジャックＡＶ５が接続されるコネクタとなっており、Ｌレベルと、Ｌレベルとは異なるレベルである非Ｌレベル（ＨレベルまたはＭｉｄレベル）とに変化する機能選択信号を外部に送出するための８番ピン８Ｐが設けられている。
【００２９】
また、第１のスカートジャックＡＶ１には、映像信号を出力する１９番ピンＰ１９、映像信号が入力される２０番ピンＰ２０、赤色信号を出力する１５番ピンＰ１５、緑色信号を出力する１１番ピンＰ１１、青色信号を出力する７番ピンＰ７が設けられている。また、７番ピンＰ７、１１番ピンＰ１１、１５番ピンＰ１５のそれぞれから出力される色信号が有効であることを示す切換制御信号を出力するための１６番ピンＰ１６が設けられている。なお、その他のピンについては、図示が省略されている。
【００３０】
第２のスカートジャックＡＶ２は、主には、デコーダ３６が接続されるコネクタとなっており、Ｌレベルと、Ｌレベルとは異なるレベルである非Ｌレベル（ＨレベルまたはＭｉｄレベル）とに変化する機能選択信号が入力される８番ピン８Ｐが設けられている。
【００３１】
また、第２のスカートジャックＡＶ２には、コンポジット映像信号を出力するための１９番ピンＰ１９、コンポジット映像信号が入力される２０番ピンＰ２０、赤色信号が入力される１５番ピンＰ１５、緑色信号が入力される１１番ピンＰ１１、青色信号が入力される７番ピンＰ７が設けられている。また、７番ピンＰ７、１１番ピンＰ１１、１５番ピンＰ１５のそれぞれに入力される色信号が有効であることを示す切換制御信号が入力される１６番ピンＰ１６が設けられている。なお、その他のピンについては、図示が省略されている。
【００３２】
映像回路部１は、ビデオカセットレコーダ部（以下では、ＶＣＲ部と称する）１１から出力される映像信号（ビデオテープを再生して得られる映像信号）、または、チューナ部１２から出力される映像信号、あるいは、第２のスカートジャックＡＶ２の２０番ピンＰ２０に入力された映像信号を切換スイッチ５のａ接点に出力する。また、チューナ部１２が出力する映像信号を切換スイッチ６のａ接点に出力する。また、図示されない外部入力端子（切換スイッチ１４のｃ接点が接続された外部入力端子、および、切換スイッチ１４のｄ接点が接続された外部入力端子）に入力された映像信号を切換スイッチ５のａ接点に出力する。
【００３３】
すなわち、切換スイッチ１４は、録画の対象となる映像信号を切り換えるスイッチとなっており、チューナ部１２が出力する映像信号、第２のスカートジャックＡＶ２の２０番ピンＰ２０に入力された映像信号、あるいは、図示されない外部入力端子に入力された映像信号を、切換スイッチ１３のｂ接点に出力する。切換スイッチ１３は、ビデオテープの再生となるときには、ＶＣＲ部１１から出力される映像信号を切換スイッチ５のａ接点に出力し、ビデオテープの再生をしないときでは、切換スイッチ１４から出力される映像信号を切換スイッチ５のａ接点に出力する。
【００３４】
スイッチ制御手段４と切換スイッチ５とは、請求項記載の映像信号切換手段９となっており、第２のスカートジャックＡＶ２の８番ピン８Ｐに入力された機能選択信号が非Ｌレベルとなる場合には、第２のスカートジャックＡＶ２の２０番ピンＰ２０に入力された映像信号を第１のスカートジャックＡＶ１の１９番ピンＰ１９に導く。また、第２のスカートジャックＡＶ２の８番ピン８Ｐに入力された機能選択信号がＬレベルとなる場合には、映像回路部１が出力する映像信号（切換スイッチ５のａ接点に入力された映像信号）を第１のスカートジャックＡＶ１の１９番ピンＰ１９に導く。
【００３５】
すなわち、スイッチ制御手段４は、第２のスカートジャックＡＶ２の８番ピン８Ｐに入力された機能選択信号が非Ｌレベルとなる場合には、切換スイッチ５のｃ接点をｂ接点に接続する。また、第２のスカートジャックＡＶ２の８番ピン８Ｐに入力された機能選択信号がＬレベルとなる場合には、切換スイッチ５のｃ接点をａ接点に接続する。
【００３６】
選択信号制御手段７は、第２のスカートジャックＡＶ２の８番ピン８Ｐに入力された機能選択信号がＬレベルとなる場合、第１のスカートジャックＡＶ１から出力される映像信号（１９番ピンＰ１９から出力される映像信号）の表示をテレビ受像機３５に指示するときには、第１のスカートジャックＡＶ１の８番ピン８Ｐに非Ｌレベルの機能選択信号を出力し、その他のときには第１のスカートジャックＡＶ１の８番ピン８ＰにＬレベルの機能選択信号を出力する。また、第２のスカートジャックＡＶ２の８番ピン８Ｐに入力された機能選択信号が非Ｌレベルとなる場合、第２のスカートジャックＡＶ２の８番ピン８Ｐに入力された機能選択信号と同じレベルの機能選択信号を第１のスカートジャックＡＶ１の８番ピン８Ｐに出力する。
【００３７】
信号遮断スイッチ８は、第２のスカートジャックＡＶ２の８番ピン８Ｐに入力された機能選択信号を、映像信号切換手段９（スイッチ制御手段４）と選択信号制御手段７とに導く機能選択信号経路８１に設けられたスイッチであり、非Ｌレベルの通過を阻止する状態（オフ状態）と、非Ｌレベルを通過させる状態（オン状態）とに切り換え可能になっている。なお、信号遮断スイッチ８は、具体的には、図２に示したように、装置本体３１１の背面パネル３１２に設けられた機械的スイッチ（スライドスイッチ）となっており、装置本体３１１の外部から操作が可能となっている。
【００３８】
入力回路部３は、装置本体３１１の前面パネルに設けられた電源キー等の複数のキースイッチや、リモートコントローラ（以下では、リモコンと称する）１９からの赤外線信号を受光する受光ユニット等を備えており、ユーザの指示が入力される。また、入力された指示を主制御部２に出力する。なお、入力手段２０は、リモコン１９と入力回路部３とにより構成され、映像回路部１の動作の指示（チューナ部１２が受信するチャンネルの指示等）が入力される。
【００３９】
主制御部２は、マイクロコンピュータを主要部として構成されており、ビデオカセットレコーダとしての主要動作を制御する。すなわち、チューナ部１２が受信するチャンネルを制御する。また、ＶＣＲ部１１の動作を制御する。また、切換スイッチ１３の接続、および、切換スイッチ１４の接続を制御する。また、切換スイッチ６の接続を制御する。また、ＶＣＲ部１１を動作状態とするときでは、ＶＣＲ部１１から出力される映像信号をテレビ受像機３５に表示させるため、選択信号制御手段７に指示を与え、第１のスカートジャックＡＶ１の８番ピンにＨレベルを送出させる。
【００４０】
以下に補足的な説明を行う。いま、切換スイッチ１４のｅ接点がａ接点に接続された状態において、リモコン１９のチャンネルのアップキーを操作したとする。このときでは、キー操作を行う毎に、チューナ部１２が受信するチャンネルの番号が１２番の側に向かって順次増加する。そして、チャンネル番号が１２番となった状態において、さらに、アップキーを操作すると、切換スイッチ１４のｅ接点の接続が、ａ接点からｂ接点に変更され、次いで、ｃ接点、ｄ接点と変更される。さらに、アップキーを操作すると、次には、ｅ接点がａ接点に接続されるとともに、チューナ部１２が受信するチャンネル番号が１番となる。以下、同様の繰り返しとなる。また、ダウンキーを操作したときでは、アップキーを操作したときとは逆方向の変化となる。
【００４１】
また、左右の音声信号のそれぞれについては、映像信号と同様に切り換えるための信号経路が設けられているが、図面を簡明とするため、音声信号のための信号経路については、図示を省略している。
【００４２】
また、以後に続く説明では、第１のスカートジャックＡＶ１および第２のスカートジャックＡＶ２の１６ｐピンＰ１６のレベル（切換制御信号のレベル）については、コンポジット映像信号が有効であることを示すＬレベルになっているとする。
【００４３】
次に、実施形態の動作を説明する。なお、以下における説明では、第１のスカートジャックＡＶ１には、テレビ受像機３５のスカートジャックＡＶ５が接続され、第２のスカートジャックＡＶ２には、デコーダ３６のスカートジャックＡＶ６が接続されているとする。
【００４４】
いま、信号遮断スイッチ８はオン状態にあるとする。また、第２のスカートジャックＡＶ２の８番ピン８ＰにはＬレベルの機能選択信号が入力され、且つ、本実施形態の状態が、商用放送が供給された電源オフの状態にあるとする。このときでは、選択信号制御手段７は、第１のスカートジャックＡＶ１の８番ピン８ＰにＬレベルの機能選択信号を出力する。従って、このときでは、テレビ受像機３５は自身が受信した映像信号を表示する。
【００４５】
上記状態において、リモコン１９の電源キーが操作されると、本実施形態は電源オン状態に移行し、選択信号制御手段７は、第１のスカートジャックＡＶ１の１９番ピンＰ１９から出力される映像信号をテレビ受像機３５に表示させるため、第１のスカートジャックＡＶ１の８番ピン８Ｐに、非Ｌレベルの機能選択信号を出力する。なお、このとき、切換スイッチ１３のｃ接点はｂ接点に接続されており、切換スイッチ１４のｅ接点はａ接点に接続されているとする。
【００４６】
このときでは、第１のスカートジャックＡＶ１の１９番ピンＰ１９には、チューナ部１２が出力する映像信号が導かれる。このため、テレビ受像機３５には、チューナ部１２が受信した番組が表示される。この状態において、リモコン１９を操作し、受信するチャンネルを変更すると、テレビ受像機３５に表示される番組のチャンネルが変更される。
【００４７】
一方、選択信号制御手段７が第１のスカートジャックＡＶ１の８番ピン８ＰにＬレベルの機能選択信号を出力しているとき、第２のスカートジャックＡＶ２の８番ピン８Ｐに入力された機能選択信号のレベルが、Ｌレベルから非Ｌレベルに変更されると、選択信号制御手段７は、第１のスカートジャックＡＶ１の８番ピン８Ｐに、入力されたレベルと同じ非Ｌレベルの機能選択信号を出力する。また、スイッチ制御手段４は、切換スイッチ５のｃ接点をｂ接点に接続する。このため、テレビ受像機３５には、デコーダ３６から出力される映像信号が表示される。
【００４８】
上記状態（本実施形態は電源オン状態にあるとする）において、チューナ部１２が受信するチャンネルを変更するための操作（チャンネルのアップダウンキーを押下する操作）をリモコン１９に入力したとする。
【００４９】
リモコン１９に前記操作が入力されたときでも、第２のスカートジャックＡＶ２の８番ピン８Ｐに入力された機能選択信号のレベルは非Ｌレベルであるため、スイッチ制御手段４は、切換スイッチ５のｃ接点をｂ接点に接続し続ける。このため、テレビ受像機３５においては、デコーダ３６から出力される映像信号の表示が継続される。従って、ユーザにとっては、チャンネル変更の操作を入力したにもかかわらず、チャンネルが変更されないように感じられる（実際には、チューナ部１２が受信するチャンネルは、リモコン１９に入力された操作に従って変更されている）。すなわち、ユーザにとっては、リモコン１９、入力回路部３、主制御部２、チューナ部１２のいずれかに不具合が生じたように感じられる。
【００５０】
以上で、信号遮断スイッチ８がオンとなるときの動作説明を終了し、以下に、信号遮断スイッチ８をオフとしたときの動作を説明する。
【００５１】
信号遮断スイッチ８がオフ状態になると、第２のスカートジャックＡＶ２の８番ピンに非Ｌレベルの機能選択信号が入力されるときでも、選択信号制御手段７やスイッチ制御手段４にはＬレベルが入力されることになる。すなわち、選択信号制御手段７やスイッチ制御手段４にとっては、第２のスカートジャックＡＶ２の８番ピン８Ｐに非Ｌレベルの機能選択信号が入力されるときでも、第２のスカートジャックＡＶ２の８番ピン８ＰにＬレベルの機能選択信号が入力された状態と等価となる。
【００５２】
従って、信号遮断スイッチ８をオフとした状態において、本実施形態を電源オフとするときでは、選択信号制御手段７は、第１のスカートジャックＡＶ１の８番ピン８ＰにＬレベルの機能選択信号を出力する。このため、テレビ受像機３５は、自身が受信した番組を表示する。
【００５３】
また、本実施形態を電源オン状態とするときでは（切換スイッチ１３のｃ接点はｂ接点に接続されており、切換スイッチ１４のｅ接点はａ接点に接続されているとする）、選択信号制御手段７は、第１のスカートジャックＡＶ１の８番ピン８Ｐに非Ｌレベルの機能選択信号を出力する。このため、テレビ受像機３５には、チューナ部１２が受信した映像信号が表示される。この状態において、リモコン１９を操作し、受信するチャンネルを変更すると、テレビ受像機３５に表示される番組のチャンネルが変更される。
【００５４】
また、本実施形態が電源オン状態にあり、第１のスカートジャックＡＶ１の８番ピン８Ｐに非Ｌレベルの機能選択信号が出力されている状態において、デコーダ３６から出力される映像信号をテレビ受像機３５に表示するときには、切換スイッチ１４のｅ接点をｂ接点に接続する指示（外部入力端子である第２のスカートジャックＡＶ２の１９番ピンＰ１９に入力された映像信号を用いる指示）をリモコン１９に入力する。
【００５５】
前記指示がリモコン１９に入力されると、切換スイッチ１４のｅ接点がｂ接点に接続され、第２のスカートジャックＡＶ２の１９番ピンＰ１９に入力されたデコーダ３６からの映像信号は、切換スイッチ１４、切換スイッチ１３、切換スイッチ５を介して、第１のスカートジャックＡＶ１の１９番ピンＰ１９から出力される。また、第１のスカートジャックＡＶ１の８番ピンからは非Ｌレベル（Ｈレベル）の機能選択信号が出力される。このため、テレビ受像機３５には、デコーダ３６から出力される映像信号が表示される。
【００５６】
この状態からチューナ部１２が受信するチャンネルを変更するため、チャンネルのアップダウンキーを操作したとすると、キースイッチの１回目の操作に対応して、ｅ接点の接続がｂ接点からａ接点に変更される。そして後、２回目以降の操作に対しては、チューナ部１２が受信するチャンネルが変更される。
【００５７】
すなわち、チャンネルのアップダウンキーを１回操作したときには、テレビ受像機３５における表示は、デコーダ３６から出力される映像信号の表示から、そのときのチューナ部１２が受信するチャンネルの映像信号の表示に変更される。そして後、チャンネルのアップダウンキーをさらに操作するときでは、その操作に対応して、テレビ受像機３５に表示される番組のチャンネルが次々と変更される。つまり、チャンネルを変更する操作をリモコン１９に入力すると、その操作の入力に対応して、テレビ受像機３５における表示が変更され、チューナ部１２が受信するチャンネルが変わっていることが実感される。
【実施例２】
【００５８】
次に、本発明の他の実施例である第２の実施形態について説明する。
【００５９】
第２の実施形態においては、信号遮断スイッチ８には、電気的に接続の開閉が可能なスイッチ素子（例えば、トランジスタあるいはアナログスイッチ等）が使用される。また、信号遮断スイッチ８の制御は、主制御部２から送出される制御ライン（破線８２より示す）によって行われるようになっている。そして、その他の構成については、第１の実施形態と同一となっている（但し、主制御部２には、信号遮断スイッチ８を制御するための構成が追加されている）。
【００６０】
すなわち、第２の実施形態においては、信号遮断スイッチ８の接続の開閉は、初期設定のメニュー画面において、信号遮断スイッチ８の接続を設定するための画面を開き、その画面において、信号遮断スイッチ８をオフ状態またはオン状態に設定するようになっている。従って、信号遮断スイッチ８をオン状態に設定したときでは、第１の実施形態における信号遮断スイッチ８をオン状態としたときと同じ動作となり、信号遮断スイッチ８をオフ状態に設定したときでは、第１の実施形態の信号遮断スイッチ８をオフ状態としたときと同じ動作となる。
【実施例３】
【００６１】
次に、本発明の他の実施例である第３の実施形態について説明する。
【００６２】
図５は、第３の実施形態であるビデオカセットレコーダの電気的構成を示すブロック線図であり、主制御部１０の構成が、図１に示す主制御部２の構成と一部において異なることを除くと、第１の実施形態から信号遮断スイッチ８を省略した構成と同一となっている。
【００６３】
主制御部１０は、第２のスカートジャックＡＶ２の８番ピン８Ｐに非Ｌレベルの機能選択信号が入力されたことから、切換スイッチ５のｃ接点がｂ接点に接続され、且つ、第１のスカートジャックＡＶ１の８番ピン８Ｐに非Ｌレベルの機能選択信号が出力されている状態において、入力手段２０（リモコン１９と入力回路部３とにより構成される）に所定操作が入力されたときには、第１のスカートジャックＡＶ１の１９番ピンＰ１９に導く映像信号を、所定期間において、第２のスカートジャックＡＶ２の２０番ピンＰ２０に入力された映像信号から、映像回路部１が出力する映像信号に切り換える。すなわち、所定期間において、切換スイッチ５のｃ接点をａ接点に接続する。
【００６４】
なお、所定の操作とは、本実施形態では、チャンネルのアップダウンキーの操作となっている。また、所定期間としては、キー操作されたときを開始点として、約５秒（その他の秒数とすることができる）の期間としている。
【００６５】
上記構成からなる実施形態の動作を説明する。なお、本実施形態の動作は、その大部分が、第１の実施形態の信号遮断スイッチ８をオン状態としたときの動作と同一となっているので、異なる部分についてのみ説明を行う。
【００６６】
いま、第２のスカートジャックＡＶ２の８番ピン８Ｐには、非Ｌレベルの機能選択信号が入力されているとする。このときでは、切換スイッチ５のｃ接点がｂ接点に接続され、第１のスカートジャックＡＶ１の８番ピン８Ｐには非Ｌレベルの機能選択信号が出力される。従って、テレビ受像機３５にはデコーダ３６が出力する映像信号が表示される。
【００６７】
この状態において、リモコン１９のチャンネルのアップダウンキーを操作すると、主制御部１０は、スイッチ制御手段４に指示を与え、切換スイッチ５のｃ接点の接続を、ｂ接点からａ接点に変更する。また、チューナ部１２が受信するチャンネル、あるいは、切換スイッチ１４の接続を、キー操作に対応して変更する。従って、テレビ受像機３５においては、アップダウンキーを操作した時点で、表示される映像信号が、デコーダ３６が出力する映像信号から、切換スイッチ１４のｅ接点から出力される映像信号に変更される。つまり、チャンネルのアップダウンキーの操作に対応して変化する映像信号がテレビ受像機３５に表示される。そして、キー操作が終了して後、５秒が経過ときには、スイッチ制御手段４に指示を与え、切換スイッチ５のｃ接点をｂ接点に接続させる。従って、以後では、デコーダ３６が出力する映像信号がテレビ受像機３５に表示される。
【００６８】
以上説明したように、デコーダ３６が出力する映像信号がテレビ受像機３５に表示されているときであっても、チャンネルのアップダウンキーを操作したときでは、５秒間において、アップダウンキーの操作に対応する映像信号が表示される。このため、デコーダ３６から出力される映像信号がテレビ受像機３５に表示されている状態において、チャンネルのアップダウンキーを操作したときにも、リモコン１９や本体側に不具合が発生したのではないかといった危惧を抱くことが防止される。
【００６９】
なお、本発明は上記実施形態に限定されず、ビデオカセットレコーダに適用した場合について説明したが、その他の装置として、ＤＶＤ等の光ディスクを記録媒体として、映像信号の記録や再生を行う装置、あるいは、ハードディスクドライブを記録媒体として、映像信号の記録や再生を行う装置の場合にも、同様に適用することができる。
【００７０】
また、信号遮断スイッチについては、機能選択信号経路に挿入したスイッチとした場合について説明したが、機能選択信号経路と接地レベルとの間の接続を開閉するスイッチとすることもできる（このときでは、信号遮断スイッチの接続を閉じたとき、第２のスカートジャックＡＶ２の８番ピン８Ｐを外部から見たときのインピーダンスの低下を抑制するため、第２のスカートジャックＡＶ２の８番ピン８Ｐと信号遮断スイッチとの間に、抵抗を挿入することが望ましい）。
【図面の簡単な説明】
【００７１】
【図１】本発明に係る映像信号装置の一実施形態であるビデオカセットレコーダの電気的構成を示すブロック線図である。
【図２】装置本体の背面に設けられた信号遮断スイッチを示す説明図である。
【図３】実施形態とテレビ受像機とデコーダとの接続関係を示す説明図である。
【図４】スカートジャックのピンと信号名との対応関係を示す説明図である。
【図５】第３の実施形態であるビデオカセットレコーダの電気的構成を示すブロック線図である。
【符号の説明】
【００７２】
１  映像回路部
７  選択信号制御手段
８  信号遮断スイッチ
９  映像信号切換手段
２０  入力手段
ＡＶ１  第１のスカートジャック
ＡＶ２  第２のスカートジャック
８ｐ  ８番ピン
８１  機能選択信号経路
【図１】
2007081615.tif 000003
【図２】
2007081615.tif 000004
【図３】
2007081615.tif 000005
【図４】
2007081615.tif 000006
【図５】
2007081615.tif 000007